(57)【特許請求の範囲】
【請求項１】
ガスメータの上部に並べて突設した流入管部と流出管部とを、並べて配設されたガス管の上流管部と下流管部とに、それぞれ袋ナットの締め付けによって接続させて行うガスメータの取り付け作業に用いるガスメータ取付用工具であって、
該工具の柄の先にガス管の各管部を押える一対のフック部を設け、
一方のフック部をガス管の一方の管部を前側から押さえる前側押え部とすると共に、他方のフック部をガス管の他方の管部を後側から押さえる後側押え部とし、
前側押え部と後側押え部とは、平面視で柄の先端位置が中心になる略点対称形状に形成されている
ことを特徴とするガスメータ取付用工具。
【請求項２】
一対のフック部を備えた作業用部材に設けた柄取付部を、該柄取付部への柄の取り付け時に柄の取付角度を選択可能にする構造を備えた
ことを特徴とする請求項１記載のガスメータ取付用工具。
【請求項３】
フック部におけるガス管押さえ縁に凹凸形状を形成した
ことを特徴とする請求項１又は２記載のガスメータ取付用工具。
【請求項４】
フック部におけるガス管押さえ縁にゴム材を被着した
ことを特徴とする請求項１乃至３のいずれか一項に記載のガスメータ取付用工具。
【発明の詳細な説明】
【技術分野】
【０００１】
本発明は、ガスメータ取付用工具に関するものである。
【背景技術】
【０００２】
ガスメータは計量法に定められた検定有効期間が最大１０年であるため、各顧客に対して該期間毎に新たに検定を受けたガスメータに取替えている。ここで、ガスメータの上部には流入管部と流出管部とが並べて突設されており、ガスメータを取り付けるには、ガスメータの流入管部と流出管部を、並べて配設されたガス管の上流管部と下流管部とに、それぞれ袋ナットの締め付けによって接続させることで行っている。このとき、ガスメータの各管部とガス管の各管部との接続箇所からガス漏れがあってはならないので、パッキンを介在させて袋ナットを強く締め付けることで気密性を確保させている。
【０００３】
ところが、上記袋ナットを強く締め付けるに当たっては、その締め付け力がガス管に締め付け方向の荷重として作用してひずみが残ったりして、ガスメータがゆがんだ姿勢で取り付けられる恐れがある。殊に、近年ではガス管には比較的剛性の少ないフレキ配管も多用されているが、このような比較的剛性の少ない管材に上記締め付け力がかかるとガス管が変形し易いため、ガスメータの正確な取付姿勢の確保がますます困難となる。
【０００４】
更に言うと、ガスメータを取外すときに袋ナットを緩める際にも、ガス管には緩め方向の荷重がかかりこの荷重によってガス管が変形する恐れもある。
【０００５】
このような問題に対して、作業者に対して各袋ナットを交互に徐々に締め付ける等の慎重且つ熟練を要する作業を課しているのが現状であり、つまり煩雑で時間のかかる作業であってその改善が望まれている。
【０００６】
なお、ガスメータの取り付け作業に用いるガスメータ取付用工具としてはたとえば特許文献１のような工具が知られているが、この工具は重量のあるガスメータのガス管への接続作業開始時の作業性を向上させることを目的とするものであり、上記課題であるガスメータの正確な取付姿勢を確保する目的のものではない。すなわち、上記袋ナットの強い締め付けによってもガスメータの正確な取付姿勢を確保できるガスメータ取付用工具が望まれているのが現状である。
【特許文献１】特開２００２−３３３３６０号公報
【発明の開示】
【発明が解決しようとする課題】
【０００７】
本発明は上記の点に鑑みてなされたものであり、その目的とするところは、ガスメータの正確な取付姿勢を確保しつつ袋ナットを強く締め付けてガスメータを取り付けできるガスメータ取付用工具を提供することを課題とするものである。
【課題を解決するための手段】
【０００８】
上記課題を解決するために請求項１に係るガスメータ取付用工具にあっては、ガスメータ２の上部に並べて突設した流入管部３と流出管部４とを、並べて配設されたガス管５の上流管部６と下流管部７とに、それぞれ袋ナット８の締め付けによって接続させて行うガスメータ２の取り付け作業に用いるガスメータ取付用工具１であって、該工具１の柄１５の先にガス管５の各管部６，７を押える一対のフック部１０を設け、一方のフック部１０をガス管５の一方の管部６（７）を前側から押さえる前側押え部１１とすると共に、他方のフック部１０をガス管５の他方の管部７（６）を後側から押さえる後側押え部１２とし、前側押え部１１と後側押え部１２とは、平面視で柄の先端位置が中心になる略点対称形状に形成されていることを特徴とする。
【０００９】
これによると、ガスメータ２を取り付ける際、袋ナット８を締め付け方向に廻して締め付けていくとガス管５には該締め付け方向へのねじり荷重がかかることとなるが、ガスメータ取付用工具１の右方に位置するフック部１０を前側押え部１１として右方に位置するガス管５の一方の管部６を前側から押さえるようにして配置すると共に、左方に位置する他方のフック部１０を後側押え部１２として左方に位置するガス管５の他方の管部７を後側から押さえるように配置することで、該締め付け方向へのねじり荷重に相対するようにガス管５を効果的に押え込むことができる。したがって、ガス管５の変形を防止してガスメータ２の正確な取付姿勢を確保しつつ、ガス漏れ防止を期して袋ナット８を強く締め付けてガスメータ２を取り付けることができる。
【００１０】
更に言うと、ガスメータ２を取り外す際、締結してある袋ナット８を緩め方向に廻すときにガス管５には該緩め方向へのねじり荷重がかかることとなるが、ガスメータ取付用工具１の右方に位置するフック部１０を後側押え部１２として右方に位置するガス管５の一方の管部６を後側から押さえるようにして配置すると共に、左方に位置する他方のフック部１０を前側押え部１１として左方に位置するガス管５の他方の管部７を前側から押さえるように配置することで、該緩め方向へのねじり荷重に相対するようにガス管５を効果的に押え込むことができる。したがって、該荷重によりガス管５が変形する恐れを無くすることができ、スムーズなガスメータ２の取り外しを行うことができる。
【００１１】
また、請求項２に係るガスメータ取付用工具にあっては、請求項１において、一対のフック部１０を備えた作業用部材１３に設けた柄取付部１４を、該柄取付部１４への柄１５の取り付け時に柄１５の取付角度を選択可能にする構造を備えたことを特徴とする。
【００１２】
これによると、柄取付部１４への柄１５の取り付け時に柄１５の取付角度、つまりフック部１０に対する把持部位（柄１５）の位置関係が異なる種々のタイプのガスメータ取付用工具１を容易に製造できる。
【００１３】
また、請求項３に係るガスメータ取付用工具にあっては、請求項１又は２において、フック部１０におけるガス管押さえ縁１０ａに凹凸形状１６ａを形成したことを特徴とする。
【００１４】
これによると、ガス管押さえ縁１０ａの凹凸形状１６ａがガス管５の管部６，７に引っ掛かって該管部６，７がフック部１０内で動いてしまうことを防止でき、より確実なガスメータ２の取り付け作業を確保できる。
【００１５】
また、請求項４に係るガスメータ取付用工具にあっては、請求項１乃至３のいずれか一項において、フック部１０におけるガス管押さえ縁１０ａにゴム材を被着したことを特徴とする。
【００１６】
これによると、ガス管押さえ縁１０ａのゴム材がガス管５の管部６，７を滑らないように係止して該管部６，７がフック部１０内で動いてしまうことを防止でき、より確実なガスメータ２の取り付け作業を確保できる。
【発明の効果】
【００１７】
本発明にあっては、ガスメータの正確な取付姿勢を確保しつつ袋ナットを強く締め付けてガスメータを取り付けできる、という利点を有する。
【発明を実施するための最良の形態】
【００１８】
以下、本発明を添付図面に示す実施形態に基いて説明する。
【００１９】
本例のガスメータ取付用工具１は、図１（ａ）や図３のように、ガスメータ２の上部に並べて突設した流入管部３と流出管部４とを、並べて配設されたガス管５の上流管部６と下流管部７とに、それぞれ袋ナット８の締め付けによって接続させて行うガスメータ２の取り付け作業に用いる工具であり、袋ナット８の強い締め付けによってもガスメータ２の正確な取付姿勢を確保することを目的としている。
【００２０】
このガスメータ取付用工具１は、図１（ｂ）のように、柄１５の先にガス管５の各管部６，７を押える一対のフック部１０が設けられ、一方のフック部１０をガス管５の一方の管部６（７）を前側から押さえる前側押え部１１とすると共に、他方のフック部１０をガス管５の他方の管部７（６）を後側から押さえる後側押え部１２とすることが可能にされている。ガスメータ取付用工具１は、図２（ｃ）（ｄ）にある一対のフック部１０を有した表裏に薄い金属片材で構成した作業用部材１３を、図２（ａ）（ｂ）にある柄１５の先端に取り付けることで形成されている。作業用部材１３の幅方向中央部には柄１５の先端を固定する柄取付部１４が設けられ、一対のフック部１０は作業用部材１３の幅方向両側に突出するように形成されている。柄取付部１４と柄１５とはそれぞれ穿設した貫通孔１８，１９にボルトやリベット等の固定具１７を挿着させることで固定される。
【００２１】
詳しくは、フック部１０はそれぞれ突出基端から突出先端に至る中央部にくびれ部１０ｂを有する平面視で略く字状に形成されている。そして、一対のフック部１０は平面視で柄１５の先端位置（後述の柄取付部１４）が中心になる略点対称形状に、具体的に略Ｓ字状となるように形成されている。また、ガス管押さえ縁１０ａとなるフック部１０の内周縁部分にはガス管５の滑り止め部１６が設けられており、本例では連続する凹凸形状１６ａ（ジグザグ形状）が採用されている。
【００２２】
ここで、図５（ａ）のように柄取付部１４に複数の貫通孔１８を穿設しておき、任意の貫通孔１８を選択して柄１５の貫通孔１９を連通させて固定具１７を挿着可能にすれば、図１（ｂ）のように作業用部材１３の幅方向の中央線上に柄１５を位置させたり、図５（ｂ）のように作業用部材１３の幅方向に沿うように柄１５を位置させたりなど、柄取付部１４への柄１５の取り付け時に柄１５の取付角度を選択可能にする構造を備えるようにでき、フック部１０に対する把持部位（柄１５）の位置関係が異なる種々のタイプのガスメータ取付用工具１を容易に製造できる。しばしばガスメータ２は隣接建物との狭小隙間などに設置されてガスメータ２の前方に充分な作業用スペースを採ることができない場合もあるが、このような場合には、殊に図５（ｂ）のような作業用部材１３の幅方向に沿うように柄１５が位置するタイプのガスメータ取付用工具１が良好な作業性を確保できて有利である。
【００２３】
なお詳しくは、一般的にガス管５の各管部６，７及びガスメータ２の各管部３，４の並設幅は１３０ｍｍ程度であり、これに合わせて一対のフック部１０の中央のくびれ部１０ｂ間寸法も１３０ｍｍ程度に形成されている。また、柄１５は、ガスメータ２の取付作業を狭所作業で行うことを鑑みて、４００ｍｍ以下の長さのものが用いられている。柄１５の先端部１５ａは、図２（ｂ）のようにパイプ棒状の他部位とは異なり表裏に薄い板状に形成され、作業用部材１３の柄取付部１４における裏面１３ｂに沿わせて固定される。更に言うと、柄１５の先端部１５ａ及び作業用部材１３の表裏厚みはそれぞれ５ｍｍ程度に形成してある。
【００２４】
上記構成のガスメータ取付用工具１を用いたガスメータ２の取付方法を以下に述べる。まず、ガスメータ２の上部に並べて突設した流入管部３と流出管部４とを、並べて配設されたガス管５の上流管部６と下流管部７とに、それぞれ袋ナット８の仮締め付けによって仮接続させておく。なお、平行に垂下するガス管５の各管部６，７には、自由回転する袋ナット８を備えたメータユニオン９（管継手材）が取り付けられ、該袋ナット８内周の雌ネジを対応するガスメータ２の各管部３，４の外周の雄ネジ２ａに螺合することで、ガス管５及びガスメータ２の各管部３，４，６，７が接続可能にされている。
【００２５】
上記仮接続状態で、ガスメータ取付用工具１を使用する。すなわち、図１（ａ）や図３のように、ガスメータ取付用工具１の柄１５を一方の手で掴んで、右方に位置するフック部１０を前側押え部１１として右方に位置するガス管５の一方の管部６を前側から押さえるようにして配置すると共に、左方に位置する他方のフック部１０を後側押え部１２として左方に位置するガス管５の他方の管部７を後側から押さえるように配置する。そして、この状態で、他方の手でスパナ等の締付用工具２０を把持して該締付用工具２０で各袋ナット８を締め付け方向（平面視で時計廻り方向）に廻してそれぞれ締め付けて、ガスメータ２の流入管部３と流出管部４とをガス管５の上流管部６と下流管部７とにそれぞれ本接続するのである（図１（ａ）は右側の袋ナット８を締め付けている図であり、図３は左側の袋ナット８を締め付けている図である）。
【００２６】
このようにガスメータ取付用工具１を用いてガスメータ２を取り付けすると以下の利点を有する。すなわち、袋ナット８を締め付け方向に廻して締め付けていくとガス管５には該締め付け方向へのねじり荷重（矢印Ａ）がかかることとなるが、該荷重に相対するようにガス管５をガスメータ取付用工具１の一対のフック部１０によって効果的に押えることができるのであり、ガス管５の変形を防止してガスメータ２の正確な取付姿勢を確保しつつ、ガス漏れ防止を期して袋ナット８を強く締め付けてガスメータ２を取り付けることができるのである。
【００２７】
ここで、本例のガスメータ取付用工具１のフック部１０のガス管押さえ縁１０ａには滑り止め部１６が設けられているので、滑り止め部１６を構成する凹凸がガス管５の管部６，７に引っ掛かって該管部６，７がフック部１０内で動いてしまうことを防止でき、より確実なガスメータ２の取り付け作業を確保できる。なお、滑り止め部１６としては、図示はしないが、ガス管押さえ縁１０ａに被着したたとえば高いすべり抵抗を有するゴム材によって構成することもできる。具体的に、ゴム材には、ドライヤー等の熱機器によってガス管押さえ縁１０ａの表面１３ａに容易に貼着させることのできる熱収縮チューブを、好適に用いることができる。更に言うと、滑り止め部１６としては、上記凹凸形状１６ａ及びゴム材を併用することもできる。また、ガスメータ取付用工具１のフック部１０には、袋ナット８の締め付け荷重のかかるガス管５を押え込むために高い強度を必要とするのであり、本例では焼き入れ処理が施されている。
【００２８】
なお、ガスメータ２の取り外し作業においても、上記ガスメータ取付用工具１を用いることができる。この場合、袋ナット８を緩め方向（平面視で反時計廻り方向）に緩めるので、ガス管５には上記緩め方向（締め付け方向と逆方向）のねじり荷重がかかることとなるので（矢印Ｂ）、以下のように対処する。
【００２９】
すなわち、図４（ａ）のように、ガスメータ取付用工具１の柄１５を一方の手で掴んで、右方に位置するフック部１０を後側押え部１２として右方に位置するガス管５の一方の管部６を後側から押さえるようにして配置すると共に、左方に位置する他方のフック部１０を前側押え部１１として左方に位置するガス管５の他方の管部７を前側から押さえるように配置する。なお、この作業ではガスメータ取付用工具１は図４（ｂ）に示す姿勢で使用される。そして、この状態で、他方の手でスパナ等の締付用工具２０を把持して該締付用工具２０で締結してある各袋ナット８を緩め方向（平面視で時計廻り方向）に廻してそれぞれ緩めるのである。
【００３０】
これによると、袋ナット８を緩め方向に緩めた際に該緩め方向に荷重（矢印Ｂ）がかかるガス管５を、該荷重に相対するようにガスメータ取付用工具１の一対のフック部１０によって効果的に押え込むことができるのであり、該荷重によりガス管５が変形する恐れを無くすることができ、スムーズなガスメータ２の取り外しを行うことができる。
【００３１】
なお、本例のガスメータ取付用工具１では上記のように一対のフック部１０は平面視で柄取付部１４が中心になる略点対称形状に形成されている。したがって、このガスメータ取付用工具１を、ガスメータ２の取り外し作業で用いる場合には、ガスメータ２の取り付け作業での使用姿勢に対して表裏反転した使用姿勢にするだけで対処でき、簡単に使用することができる。
【００３２】
詳しくは、本例のガスメータ取付用工具１では、図１（ｂ）のように表面１３ａを上方に向けたときに、袋ナット８の締め付け作業に対処できる右方のフック部１０が前側押え部１１となって左方のフック部１０が後側押え部１２となる状態の姿勢になるのであって、ガスメータ取付用工具１の表面１３ａ（詳しくは作業用部材１３の表面１３ａ）には該作業向けであることを明確に示す「シメ」という印２１が付してある。一方、図４（ｂ）のようにガスメータ取付用工具１の裏面１３ｂを上方に向けたときには、袋ナット８の緩め作業に対処できる右方のフック部１０が後側押え部１２となって左方のフック部１０が前側押え部１１となる状態の姿勢になるのであって、ガスメータ取付用工具１の裏側（詳しくは作業用部材１３の裏面１３ｂに沿設した柄１５の先端部１５ａの裏面）には該作業向けであることを明確に示す「ユルメ」という印２２が付してある。このように本例のガスメータ取付用工具１は表裏反転して使用されるものであるが、目に見える適宜箇所に印２１，２２をつけることでその使用姿勢を間違わないようにする工夫も施されている。
【図面の簡単な説明】
【００３３】
【図１】本発明の実施の形態の例であり、（ａ）はガスメータ取付用工具を用いたガスメータの取り付け作業を説明する説明図であって右側の袋ナットを締め付けている斜視図であり、（ｂ）は（ａ）での使用姿勢にあるガスメータ取付用工具の平面図である。
【図２】同上のガスメータ取付用工具の部品図であり、（ａ）は柄の側面図であり、（ｂ）は（ａ）の下面図であり、（ｃ）は作業用部材の平面図であり、（ｄ）は（ｃ）の下面図である。
【図３】同上のガスメータ取付用工具を用いたガスメータの取り付け作業を説明する説明図であって左側の袋ナットを締め付けている斜視図である。
【図４】（ａ）は同上のガスメータ取付用工具を用いたガスメータの取り外し作業を説明する斜視図であり、（ｂ）は（ａ）での使用姿勢にあるガスメータ取付用工具の平面図である。
【図５】（ａ）は実施形態の他例のガスメータ取付用工具の作業用部材の平面図であり、（ｂ）は（ａ）の作業用部材を用いて製造したガスメータ取付用工具の例を示す平面図である。
【符号の説明】
【００３４】
１  ガスメータ取付用工具
２  ガスメータ
３  流入管部
４  流出管部
５  ガス管
６  上流管部
７  下流管部
８  袋ナット
１０  フック部
１０ａ  ガス管押さえ縁
１３  作業用部材
１４  柄取付部
１５  柄
１６  滑り止め部
１６ａ  凹凸形状
【図１】
0005139129.tif 000002
【図２】
0005139129.tif 000003
【図３】
0005139129.tif 000004
【図４】
0005139129.tif 000005
【図５】
0005139129.tif 000006